(57)【要約】【課題】除湿部で生成された水を収容部の外部に容易に排出することができる除湿機を提供する。【解決手段】除湿機１００は、除湿部１１と、排水タンク４と、ケーシング１と、案内部６と、第１切替機構７とを備える。ケーシング１は、除湿部１１と排水タンク４とを収容する。第１切替機構７は、案内部６の姿勢を第１姿勢Ｓ１及び第２姿勢Ｓのうちのいずれかの姿勢に切り替える。第１姿勢Ｓ１の案内部６は、除湿部１１で生成された水を排水タンク４に案内する。第２姿勢Ｓの案内部６は、除湿部１１で生成された水をケーシング１の外部に案内する。【選択図】図６
2020127918.tif 000002
【特許請求の範囲】
【請求項１】
除湿することで水を生成する除湿部と、
水を貯留する貯留部と、
前記除湿部と前記貯留部とを収容する収容部と、
前記収容部に支持される案内部と、
前記案内部の姿勢を第１姿勢及び第２姿勢のうちのいずれかの姿勢に切り替える切替機構と
を備え、
前記第１姿勢の前記案内部は、前記除湿部で生成された水を前記貯留部に案内し、
前記第２姿勢の前記案内部は、前記除湿部で生成された水を前記収容部の外部に案内する、除湿機。
【請求項２】
前記案内部は、壁面を有し、
前記案内部が前記第１姿勢になると、前記壁面が前記収容部の外面に連なる、請求項１に記載の除湿機。
【請求項３】
前記案内部が前記第１姿勢になると、前記案内部が前記収容部に収容され、
前記案内部が前記第２姿勢になると、前記案内部の先端部が前記収容部の外部に突出する、請求項１又は請求項２に記載の除湿機。
【請求項４】
前記切替機構は、前記収容部に対して前記案内部を回転可能に支持する、請求項１から請求項３のいずれか１項に記載の除湿機。
【請求項５】
前記切替機構は、前記収容部に対して前記案内部をスライド可能に支持する、請求項１から請求項３のいずれか１項に記載の除湿機。
【請求項６】
前記除湿部で生成された水を排出する排水部を有し、
前記案内部が前記第１姿勢になると、前記排水部が前記貯留部と対向し、
前記案内部が前記第２姿勢になると、前記排水部が前記案内部と対向する、請求項１から請求項５のいずれか１項に記載の除湿機。
【発明の詳細な説明】
【技術分野】
【０００１】
本発明は、除湿機に関する。
【背景技術】
【０００２】
排水タンクが装着される除湿機が特許文献１に開示されている。特許文献１に記載の除湿機は、除湿部と、アームと、レバーと、バネと、塞ぎ弁と、ドレン口と、本体ケースとを備える。排水タンクが本体ケースから引き出されているとき、レバーはバネの復元力により塞ぎ弁をドレン口に押し当てる。排水タンクが本体ケースに挿入される時、塞ぎ弁がドレン口から離れる。ユーザーは、ドレン口に連続排水用ホースの取りつける際に、塞ぎ弁をレバーに対して下向きに回動させた後、排水ホースをドレン口に接続する。
【先行技術文献】
【特許文献】
【０００３】
【特許文献１】特開２００３−１６１４６２号公報
【発明の概要】
【発明が解決しようとする課題】
【０００４】
しかし、ユーザーは、除湿部で生成された水を本体ケースの外部に排出する際、本体ケースの内部に手を突っ込んで、排水ホースをドレン口に接続する作業を行わなければならず、煩雑であった。
【０００５】
本発明は、除湿部で生成された水を収容部の外部に容易に排出することができる除湿機を提供することを目的とする。
【課題を解決するための手段】
【０００６】
本願の第１局面によれば、除湿機は、除湿部と、貯留部と、収容部と、案内部と、切替機構とを備える。除湿部は、除湿することで水を生成する。貯留部は、水を貯留する。収容部は、前記除湿部と前記貯留部とを収容する。案内部は、前記収容部に支持される。切替機構は、前記案内部の姿勢を第１姿勢及び第２姿勢のうちのいずれかの姿勢に切り替える。前記第１姿勢の前記案内部は、前記除湿部で生成された水を前記貯留部に案内する。前記第２姿勢の前記案内部は、前記除湿部で生成された水を前記収容部の外部に案内する。
【発明の効果】
【０００７】
本発明の除湿機によれば、除湿部で生成された水を収容部の外部に容易に排出することができる。
【図面の簡単な説明】
【０００８】
【図１】本発明の第１実施形態に係る除湿機を前方から見た斜視図である。
【図２】本発明の第１実施形態に係る除湿機を後方から見た斜視図である。
【図３】ケーシングの内部を示す模式図である。
【図４】案内部を示す斜視図である。
【図５】第１姿勢の案内部を示す図である。
【図６】第２姿勢の案内部を示す図である。
【図７】本発明の第２実施形態に係る除湿機を後方から見た斜視図である。
【図８】第２切替機構を示す斜視図である。
【図９】第４姿勢の案内部を示す図である。
【図１０】（ａ）は、第３切替機構の斜視図である。（ｂ）は、第３切替機構の平面図である。
【図１１】第５姿勢の案内部を示す図である。
【図１２】第６姿勢の案内部を示す図である。
【発明を実施するための形態】
【０００９】
本発明の実施形態について、図面を参照しながら説明する。なお、図中、同一又は相当部分については同一の参照符号を付して説明を繰り返さない。
【００１０】
［第１実施形態］
図１及び図２を参照して、本発明の第１実施形態に係る除湿機１００について説明する。図１は、本発明の第１実施形態に係る除湿機１００を前方から見た斜視図である。図２は、本発明の第１実施形態に係る除湿機１００を後方から見た斜視図である。
【００１１】
図１及び図２に示すように、除湿機１００は、ケーシング１と、カバー部材２ａと、排水タンク４と、操作部５と、案内部６とを備える。
【００１２】
ケーシング１は、中空の部材である。ケーシング１には、吹出口２と、吸込口３とが形成される。ケーシング１は、本発明の収容部の一例である。
【００１３】
吹出口２は、ケーシング１の前面に形成される。吹出口２は、ケーシング１の内部と外部とを連通する。吹出口２は、ケーシング１の内部の空気をケーシング１の外部に放出する。吹出口２は、ケーシング１に形成されていればよく、ケーシング１の前面以外の場所に位置していてもよい。
【００１４】
カバー部材２ａは、略板状の部材である。図１において、カバー部材２ａは、吹出口２を覆っている。カバー部材２ａは、ケーシング１に回転可能に取り付けられる。カバー部材２ａは、回転角度を変更することで、吹出口２から放出される空気の流れる方向を、カバー部材２ａの回転角度に応じた方向に規定する風向板として機能する。
【００１５】
吸込口３は、ケーシング１の後面に形成される。吸込口３は、ケーシング１の内部と外部とを連通する。吸込口３は、ケーシング１の外部の空気をケーシング１の内部に流入させる。吸込口３は、ケーシング１に形成されていればよく、ケーシング１の後面以外の場所に位置していてもよい。
【００１６】
排水タンク４は、ケーシング１に着脱自在に格納される。排水タンク４は、除湿機１００によって生成された水を貯留する。排水タンク４は、本発明の貯留部の一例である。
【００１７】
操作部５は、ケーシング１の上部に設けられる。操作部５は、外部からの指示を受け付ける。
【００１８】
案内部６は、ケーシング１の後面に設けられる。案内部６の説明は後述する。
【００１９】
図３を参照して、除湿機１００についてさらに説明する。図３は、ケーシング１の内部を示す模式図である。
【００２０】
除湿機１００は、除湿部１１と、ファン１２と、ドレンパン１３とをさらに備える。
【００２１】
除湿部１１、ファン１２、及びドレンパン１３は、ケーシング１の内部に配置される。
【００２２】
除湿部１１は、空気を除湿することで水を生成する。除湿部１１は、例えば、冷却部を含む。冷却部は、空気を冷やすことで、空気中の水蒸気を結露させる。その結果、空気が除湿されると共に、水が生成される。なお、本発明の除湿部は、空気を除湿することで水を生成する構造を有していればよく、第１実施形態の除湿部１１に限定されない。
【００２３】
ファン１２は、吸込口３、除湿部１１、及び吹出口２の順番に空気を送風する。
【００２４】
ケーシング１の外部の空気は、ファン１２により吸込口３を介して除湿部１１に供給される。除湿部１１に供給された空気は、除湿部１１により除湿される。除湿された空気は、吹出口２を介してケーシング１の外部に排出される。
【００２５】
ドレンパン１３は、除湿部１１で生成された水を回収する。ドレンパン１３は、除湿部１１の下方に配置される。ドレンパン１３には除湿部１１で生成された水が滴下する。
【００２６】
ドレンパン１３には、ドレン口１４が形成される。ドレン口１４は、ドレンパン１３の底部に形成される。ドレン口１４は、ドレンパン１３の内部と外部とを連通する筒状の部材である。ドレン口１４は、ドレンパン１３が回収した水をドレンパン１３の外部に排出する。ドレン口１４は、本発明の排水部の一例である。
【００２７】
ドレン口１４の下方には、排水タンク４が配置される。ドレン口１４から排出された水は、排水タンク４に供給される。
【００２８】
次に、図２〜図４を参照して、案内部６について説明する。図４は、案内部６を示す斜視図である。案内部６は、ドレン口１４から排出された水を案内する。
【００２９】
図４は、第１方向Ｙ１と、第２方向Ｙ２と、第３方向Ｙ３とを示す。第１方向Ｙ１は、案内部６が延びる方向である。第２方向Ｙ２は、第１方向Ｙ１に対して垂直な方向である。第３方向Ｙ３は、第１方向Ｙ１及び第２方向Ｙ２の各々に対して垂直な方向である。
【００３０】
図２〜図４に示すように、案内部６は、先端部６１と、基端部６２と、底壁部６３と、第１側壁部６４と、第２側壁部６５と、後壁部６６とを有する。
【００３１】
先端部６１は、案内部６のうち第１方向Ｙ１の一方側の端部を示す。基端部６２は、案内部６のうち第１方向Ｙ１の他方側の端部を示す。
【００３２】
底壁部６３は、略板状の部材である。底壁部６３は、第１方向Ｙ１に沿って延びる略板状の部材である。
【００３３】
第１側壁部６４と、第２側壁部６５との各々は、略板状の部材である。第１側壁部６４と、第２側壁部６５とは、第２方向Ｙ２に沿って互いに間隔を空けて配置される。第１側壁部６４と、第２側壁部６５との各々は、底壁部６３から第３方向Ｙ３に沿って立ち上がる。
【００３４】
後壁部６６は、略板状の部材である。後壁部６６は、案内部６の基端部６２に配置される。後壁部６６は、第１側壁部６４と第２側壁部６５との間に配置される。後壁部６６は、底壁部６３から第３方向Ｙ３に沿って立ち上がる。
【００３５】
案内部６は、流路６７と、流入口６８と、排水口６９とをさらに有する。
【００３６】
流路６７には、水が流れる。流路６７は、底壁部６３と、第１側壁部６４と、第２側壁部６５と、後壁部６６とで囲まれた空間である。
【００３７】
案内部６のうち底壁部６３と対向する部分は、開放されている。案内部６のうち底壁部６３と対向する部分には、空所である流入口６８が形成される。流入口６８は、流路６７と連通する。
【００３８】
案内部６の先端部６１は、開放されている。案内部６の先端部６１には、空所である排水口６９が形成される。排水口６９は、流路６７と連通する。
【００３９】
除湿機１００は、第１切替機構７をさらに備える。第１切替機構７は、ケーシング１に対して案内部６を回転可能に支持する。第１切替機構７は、本発明の切替機構の第１例である。
【００４０】
第１切替機構７は、回転軸７１と、ブラケット７２と、把持部７３とを有する。
【００４１】
回転軸７１は、案内部６を貫通する。詳細には、回転軸７１は、第１側壁部６４と、第２側壁部６５とを第２方向Ｙ２に沿って貫通する。回転軸７１は、案内部６に固定され、案内部６と共に回転する。なお、回転軸７１は、案内部６を貫通する部材に限定されない。回転軸７１は、ケーシング１に対して案内部６を回転可能に支持する部材であればよい。回転軸７１は、例えば、案内部６から第２方向Ｙ２に沿って両側に突出する一対の突起でもよい。
【００４２】
ブラケット７２は、回転軸７１を回転可能に支持する。ブラケット７２には、回転軸７１が回転可能に取り付けられる。ブラケット７２は、ケーシング１に固定される。
【００４３】
把持部７３は、底壁部６３から突出する突起である。把持部７３は、案内部６の先端部６１に設けられる。把持部７３は、ユーザーによって把持され、案内部６を回転させるための操作部として機能する。
【００４４】
案内部６は、回転軸７１を中心に回転する。
【００４５】
第１切替機構７は、ケーシング１に対する案内部６の回転角度を変更することで、案内部６の姿勢を第１姿勢Ｓ１及び第２姿勢Ｓ２のうちのいずれかの姿勢に切り換える。
【００４６】
次に、図２、図４、及び図５を参照して、第１姿勢Ｓ１の案内部６について説明する。図５は、第１姿勢Ｓ１の案内部６を示す図である。第１姿勢Ｓ１は、本発明の第１姿勢の第１例である。
【００４７】
図２、図４、及び図５に示すように、案内部６は、壁面６３ａを有する。壁面６３ａは、底壁部６３のうち流路６７に背向する面である。
【００４８】
ケーシング１は、外面１ａと、開口部１ｂとを有する。外面１ａは、ケーシング１の外側の面である。開口部１ｂは、ケーシング１の内部と外部とを連通する。案内部６は、開口部１ｂに配置される。
【００４９】
案内部６が第１姿勢Ｓ１になると、壁面６３ａがケーシング１の外面１ａに連なる。すなわち、案内部６が第１姿勢Ｓ１になると、外面１ａと壁面６３ａとが略フラットな面を形成することで、壁面６３ａが外面１ａの一部を形成しているように見える。その結果、除湿機１００の美観を確保しつつ、案内部６をケーシング１に収容できる。また、案内部６は、第１姿勢Ｓ１になると、開口部１ｂを塞ぐ。また、案内部６が第１姿勢Ｓ１になると、案内部６がケーシング１に収容されるので、除湿機１００をコンパクトにすることができる。
【００５０】
案内部６が第１姿勢Ｓ１になると、ドレン口１４が排水タンク４と対向する。詳細には、案内部６が第１姿勢Ｓ１になると、ドレン口１４の下方に排水タンク４が位置することで、ドレン口１４が排水タンク４と上下方向に対向する。
【００５１】
また、案内部６が第１姿勢Ｓ１になると、ドレン口１４が案内部６と対向しない。詳細には、案内部６が第１姿勢Ｓ１になると、ドレン口１４の下方に案内部６が位置しないので、ドレン口１４が案内部６と上下方向に対向しない。従って、案内部６が第１姿勢Ｓ１になると、ドレン口１４から排出される水が、案内部６に供給されずに、排水タンク４に供給される。
【００５２】
次に、図４、及び図６を参照して、第２姿勢Ｓ２の案内部６について説明する。図６は、第２姿勢Ｓ２の案内部６を示す図である。第２姿勢Ｓ２は、本発明の第２姿勢の第１例である。
【００５３】
図４、及び図６に示すように、案内部６が第２姿勢Ｓ２になると、案内部６の先端部６１（排水口６９）がケーシング１の外部に突出する。案内部６が第２姿勢Ｓ２になると、案内部６の流入口６８が上側を向く。また、案内部６が第２姿勢Ｓ２になると、案内部６の流入口６８がドレン口１４と対向する。詳細には、案内部６が第２姿勢Ｓ２になると、ドレン口１４の下方に流入口６８が位置するので、流入口６８がドレン口１４と上下方向に対向する。従って、ドレン口１４から排出される水は、流入口６８を介して流路６７に供給される。流路６７に排出された水は、流路６７を流れた後、排水口６９からケーシング１の外部に排出される。
【００５４】
次に、図５及び図６を参照して、案内部６の動作について説明する。
【００５５】
図５及び図６に示すように、案内部６が第１姿勢Ｓ１になると、案内部６がケーシング１に収容されると共に、把持部７３がケーシング１の外部に突出する。案内部６が第１姿勢Ｓ１の状態で、ユーザーが把持部７３をケーシング１から離間させる方向に回転させることで、把持部７３と共に案内部６が回転して、案内部６の姿勢が第１姿勢Ｓ１から第２姿勢Ｓ２に切り替わる。また、案内部６が第２姿勢Ｓ２の状態で、ユーザーが把持部７３をケーシング１に近接させる方向に回転させることで、把持部７３と共に案内部６が回転して、案内部６の姿勢が第２姿勢Ｓ２から第１姿勢Ｓ１に切り替わる。
【００５６】
以上、図４〜図６を参照して説明したように、第１切替機構７は、案内部６の姿勢を第１姿勢Ｓ１及び第２姿勢Ｓ２のうちのいずれかの姿勢に切り換える。従って、ユーザーは、除湿部１１で生成された水をケーシング１の外部に排出する際、第１切替機構７を用いて案内部６の姿勢を第２姿勢Ｓ２に切り換えればよい。その結果、ユーザーは、ケーシング１の内部に手を入れて、ドレン口１４にホースを接続するような作業を行わなくてもよいので、除湿部１１で生成された水をケーシング１の外部に容易に排出することができる。
【００５７】
また、案内部６が回転することで、案内部６の姿勢が第１姿勢Ｓ１及び第２姿勢Ｓ２のうちのいずれかの姿勢に切り換わる。従って、ユーザーは、案内部６を回転させるだけで、除湿部１１で生成された水の排出先を、排水タンク４及びケーシング１の外部のうちのいずれかに切り換えることができる。その結果、ユーザーは、除湿部１１で生成された水の排出先を、容易に切り替えることができる。
【００５８】
また、ユーザーが案内部６の姿勢を第２姿勢Ｓ２にすることで除湿部１１で生成された水がケーシング１の外部に排出される。従って、ホースを用いなくても、ケーシング１の外部に水を排出できる。その結果、水の排出先がケーシング１の近傍に位置する場合、ホースが不要になるので、ケーシング１の内部にホースの設置スペースを確保しなくてもよい。よって、ケーシング１をコンパクト化することができる。
【００５９】
また、案内部６が第２姿勢Ｓ２になると、案内部６の先端部６１がケーシング１の外部に突出する。その結果、ユーザーは、ホースを用いて除湿部１１で生成された水を排出する場合、案内部６の先端部６１にホースを接続する作業を容易に行うことができる。
【００６０】
［第２実施形態］
図７〜図９を参照して、本発明の第２実施形態に係る除湿機１００について説明する。図７は、本発明の第２実施形態に係る除湿機１００を後方から見た斜視図である。
【００６１】
第１実施形態の除湿機１００と第２実施形態の除湿機１００とを比較すると、第２実施形態の除湿機１００は、第１切替機構７に代えて、第２切替機構８を備える点が第１実施形態の除湿機１００と異なる。図８は、第２切替機構８を示す斜視図である。第２切替機構８は、本発明の切替機構の第２例である。
【００６２】
図４及び図８に示すように、第１実施形態の第１切替機構７と、第２実施形態の第２切替機構８とは、案内部６を回転させる方向が互いに異なっている。
【００６３】
図７及び図８を参照して、第２切替機構８について説明する。
【００６４】
図７及び図８に示すように、第２切替機構８は、回転軸８１と、ブラケット８２と、把持部８３とを有する。
【００６５】
回転軸８１は、案内部６を貫通する。詳細には、回転軸８１は、底壁部６３を第３方向Ｙ３に沿って貫通する。回転軸８１は、案内部６に固定され、案内部６と共に回転する。
【００６６】
ブラケット８２は、回転軸８１を回転可能に支持する。ブラケット８２には、回転軸８１が回転可能に取り付けられる。ブラケット８２は、ケーシング１に固定される。
【００６７】
把持部８３は、第１側壁部６４から突出する突起である。把持部８３は、案内部６の先端部６１に設けられる。把持部８３は、ユーザーによって把持され、案内部６を回転させるための操作部として機能する。
【００６８】
案内部６は、回転軸８１を中心に回転する。案内部６は、壁面６４ａを有する。壁面６４ａは、第１側壁部６４のうち流路６７に背向する面である。
【００６９】
第２切替機構８は、ケーシング１に対する案内部６の回転角度を変更することで、案内部６の姿勢を、第３姿勢Ｓ３、及び第４姿勢Ｓ４のうちのいずれかの姿勢に切り換える。
【００７０】
図７は、第３姿勢Ｓ３の案内部６を示す。第３姿勢Ｓ３は、本発明の第１姿勢の第２例である。
【００７１】
図７に示すように、案内部６が第３姿勢Ｓ３になると、案内部６がケーシング１に収容され、壁面６４ａがケーシング１の外面１ａに連なる。その結果、除湿機１００の美観を確保しつつ、案内部６をケーシング１に収容できる。また、案内部６が第３姿勢Ｓ３のとき、ドレン口１４の下方に排水タンク４が位置するので、ドレン口１４が排水タンク４に対向する（図５参照）。その結果、除湿機１００によって生成された水が、ドレン口１４から排水タンク４に排出される。なお、案内部６が第３姿勢Ｓ３のとき、案内部６が横向きに配置される点が、図５に示す第１姿勢Ｓ１の案内部６と異なる。
【００７２】
図９は、第４姿勢Ｓ４の案内部６を示す図である。第４姿勢Ｓ４は、本発明の第２姿勢の第２例である。
【００７３】
図９に示すように、案内部６が第４姿勢Ｓ４になると、案内部６の先端部６１がケーシング１の外部に突出する。案内部６が第４姿勢Ｓ４のとき、ドレン口１４の下方に案内部６が位置するので、ドレン口１４が案内部６と対向する（図６参照）。その結果、除湿機１００によって生成された水が、ドレン口１４から案内部６に排出される。案内部６に排出された水は、案内部６の先端部６１からケーシング１の外部に排出される。
【００７４】
以上、図７〜図８を参照して説明したように、第２切替機構８は、案内部６の姿勢を第３姿勢Ｓ３及び第４姿勢Ｓ４のうちのいずれかの姿勢に切り換える。従って、ユーザーは、除湿部１１で生成された水をケーシング１の外部に排出する際、第２切替機構８を用いて案内部６の姿勢を第４姿勢Ｓ４に切り換えればよい。その結果、ユーザーは、除湿部１１で生成された水をケーシング１の外部に容易に排出することができる。
【００７５】
［第３実施形態］
図１０（ａ）〜図１２を参照して、本発明の第３実施形態に係る除湿機１００について説明する。
【００７６】
第３実施形態の除湿機１００と第１実施形態の除湿機１００とを比較すると、第３実施形態の除湿機１００は、第１切替機構７に代えて、第３切替機構９を備える点が第１実施形態の除湿機１００と異なる。図１０（ａ）は、第３切替機構９の斜視図である。図１０（ｂ）は、第３切替機構９の平面図である。第３切替機構９は、本発明の切替機構の第３例である。
【００７７】
図４及び図１０（ａ）に示すように、第１実施形態の第１切替機構７は、案内部６を回転させるのに対し、第３実施形態の第３切替機構９は、案内部６をスライドさせる。
【００７８】
図１０（ａ）及び図１０（ｂ）を参照して、第３切替機構９について説明する。
【００７９】
図１０（ａ）及び図１０（ｂ）に示すように、第３切替機構９は、スライドバー９１と、スライダ９２と、把持部９３とを有する。
【００８０】
スライドバー９１は、第１方向Ｙ１に沿って延びる。スライドバー９１は、案内部６に固定される。スライドバー９１は、案内部６の側部に配置される。スライダ９２は、ケーシング１に固定される。スライダ９２は、スライドバー９１に係合する。スライダ９２は、案内部６をスライド可能に支持する。
【００８１】
把持部９３は、案内部６に固定される。ユーザーが把持部９３を把持して案内部６を押引きすることで、案内部６が第１方向Ｙ１に沿ってスライドする。
【００８２】
案内部６は、前壁部Ｗをさらに有する。前壁部Ｗは、略板状の部材である。前壁部Ｗは、案内部６の先端部６１に配置される。前壁部Ｗは、第１側壁部６４と第２側壁部６５との間に配置される。前壁部Ｗは、底壁部６３から第３方向Ｙ３に沿って立ち上がる。前壁部Ｗは、後壁部６６と対向する。前壁部Ｗは、壁面Ｗａを有する。壁面Ｗａは、前壁部Ｗのうち流路６７に背向する面である。
【００８３】
案内部６は、凹部６ａを有する。凹部６ａは、案内部６の側部の一部を第２方向Ｙ２に沿って凹ませることにより形成される空所である。
【００８４】
流路６７は、基端流路６７ａを有する。基端流路６７ａは、流路６７のうち、凹部６ａよりも案内部６の基端部６２側に位置する部分である。
【００８５】
案内部６の先端部６１には、排水孔６３ｂが形成される。排水孔６３ｂは、底壁部６３を貫通する。排水孔６３ｂは、流路６７に通じる。
【００８６】
第３切替機構９は、ケーシング１に対して案内部６をスライドさせることで、案内部６の姿勢を第５姿勢Ｓ５及び第６姿勢Ｓ６のうちのいずれかの姿勢に切り換える。
【００８７】
次に、図１０（ａ）〜図１１を参照して、第５姿勢Ｓ５の案内部６について説明する。図１１は、第５姿勢Ｓ５の案内部６を示す図である。第５姿勢Ｓ５は、本発明の第１姿勢の第３例である。
【００８８】
図１０（ａ）〜図１１に示すように、案内部６が第５姿勢Ｓ５になると、案内部６がケーシング１に収容され、壁面Ｗａがケーシング１の外面１ａに連なる。案内部６が第５姿勢Ｓ５のとき、ドレン口１４の下方に案内部６の凹部６ａが位置するので、ドレン口１４が案内部６の凹部６ａを介して排水タンク４に対向する。その結果、除湿機１００によって生成された水が、ドレン口１４から凹部６ａを介して排水タンク４に排出される。
【００８９】
次に、図１０（ａ）〜図１２を参照して、第６姿勢Ｓ６の案内部６について説明する。図１２は、第６姿勢Ｓ６の案内部６を示す図である。第６姿勢Ｓ６は、本発明の第２姿勢の第３例である。
【００９０】
図１０（ａ）〜図１２に示すように、案内部６が第６姿勢Ｓ６になると、案内部６の先端部６１がケーシング１の外部に突出することで、排水孔６３ｂがケーシング１の外部に配置される。案内部６が第６姿勢Ｓ６のとき、ドレン口１４の下方に案内部６の基端流路６７ａが位置するので、ドレン口１４が案内部６の基端流路６７ａに対向する。その結果、除湿機１００によって生成された水が、ドレン口１４から基端流路６７ａに排出される。基端流路６７ａに排出された水は、排水孔６３ｂからケーシング１の外部に排出される。
【００９１】
次に、図１１及び図１２を参照して、案内部６の動作について説明する。
【００９２】
図１１及び図１２に示すように、案内部６が第５姿勢Ｓ５になると、案内部６がケーシング１に収容されると共に、把持部９３がケーシング１の外部に突出する。案内部６が第５姿勢Ｓ５の状態で、ユーザーが把持部９３を引くことで、案内部６がケーシング１の外部に引き出されて、案内部６の姿勢が第５姿勢Ｓ５から第６姿勢Ｓ６に切り替わる。また、案内部６が第６姿勢Ｓ６の状態で、ユーザーが把持部９３を押すことで、案内部６がケーシング１の内部に押し戻されて、案内部６の姿勢が第６姿勢Ｓ６から第５姿勢Ｓ５に切り替わる。
【００９３】
以上、図１０（ａ）〜図１２を参照して説明したように、第３切替機構９は、案内部６の姿勢を第５姿勢Ｓ５及び第６姿勢Ｓ６のうちのいずれかの姿勢に切り換える。従って、ユーザーは、除湿部１１で生成された水をケーシング１の外部に排出する際、第３切替機構９を用いて案内部６の姿勢を第６姿勢Ｓ６に切り換えればよい。その結果、ユーザーは、除湿部１１で生成された水をケーシング１の外部に容易に排出することができる。
【００９４】
以上、図面（図１〜図１２）を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【産業上の利用可能性】
【００９５】
本発明は、除湿機の分野に利用可能である。
【符号の説明】
【００９６】
１００  除湿機
１１    除湿部
４      排水タンク（貯留部）
１      ケーシング（収容部）
６      案内部
７      第１切替機構（切替機構）
８      第２切替機構（切替機構）
９      第３切替機構（切替機構）
Ｓ１    第１姿勢
Ｓ２    第２姿勢
Ｓ３    第３姿勢（第１姿勢）
Ｓ４    第４姿勢（第２姿勢）
Ｓ５    第５姿勢（第１姿勢）
Ｓ６    第６姿勢（第２姿勢）
【図１】
2020127918.tif 000003
【図２】
2020127918.tif 000004
【図３】
2020127918.tif 000005
【図４】
2020127918.tif 000006
【図５】
2020127918.tif 000007
【図６】
2020127918.tif 000008
【図７】
2020127918.tif 000009
【図８】
2020127918.tif 000010
【図９】
2020127918.tif 000011
【図１０】
2020127918.tif 000012
【図１１】
2020127918.tif 000013
【図１２】
2020127918.tif 000014